(57)【要約】【課題】建屋壁に形成する開口施工寸法を低減すると共に、設置作業の簡易化を図ることのできる乗り場釦装置を有したエレベータ装置を提供する。【解決手段】端部に信号ケーブル側コネクタ９が接続された通信ケーブル１０と、前記建屋壁１１に形成されたケーブル孔１２と対向する位置に開口部１３を有して前記建屋壁１１の乗り場側に取り付けられる乗り場釦固定金具１４と、前記開口部１３を通して前記ケーブル孔１２にその挿入深さを規制して挿入配置されると共にその内部に通信ケーブル１０に接続した前記信号ケーブル側コネクタ９を配置したケーブル接続箱１５と、前記信号ケーブル側コネクタ９に接続可能な釦側コネクタ８に接続した乗り場釦４，５を備えると共に、前記乗り場釦固定金具１４の前記乗り場側に配置されて前記乗り場釦固定金具１４に取り付けられる乗り場釦カバー６とを備えたて乗り場釦装置を構成した。【選択図】図７
2015151212.tif 000002
【特許請求の範囲】
【請求項１】
建屋壁に形成されたケーブル孔と、前記ケーブル孔から乗り場側に導出され、かつ導出側の端部に信号ケーブル側コネクタが接続された通信ケーブルと、前記信号ケーブル側コネクタに接続可能な釦側コネクタに接続した乗り場釦を備えた乗り場釦カバーとを有する乗り場釦装置を備えたエレベータ装置において、
前記建屋壁に形成された前記ケーブル孔と対向する位置に開口部を有して前記建屋壁の乗り場側面に取り付けられる乗り場釦固定金具と、前記開口部を通して前記ケーブル孔にその挿入深さを規制して挿入配置されると共にその内部に前記信号ケーブル側コネクタを配置したケーブル接続箱とを設け、前記乗り場釦カバーは、前記乗り場釦固定金具の前記乗り場側に配置されて前記乗り場釦固定金具に取り付けたことを特徴とするエレベータ装置。
【請求項２】
前記ケーブル接続箱は、前記乗り場側に形成された鍔部を備え、前記乗り場釦固定金具は、前記ケーブル接続箱を周方向に回転することによって前記鍔部と嵌め合うように形成された嵌め合い部を備えたことを特徴とする請求項１に記載のエレベータ装置。
【請求項３】
前記ケーブル孔への前記ケーブル接続箱の挿入側端部に、前記ケーブル接続箱から前記通信ケーブルの導出を許しながら端部を覆う端部封止体を設けたことを特徴とする請求項１に記載のエレベータ装置。
【発明の詳細な説明】
【技術分野】
【０００１】
本発明は、乗り場釦装置を有するエレベータ装置に関する。
【背景技術】
【０００２】
本技術分野の背景技術として、実開平６−６３５９号公報（特許文献１）がある。この公報には、エレベータ装置の乗り場に設けられ、乗り場呼びを登録する乗り場釦装置として、一般に、乗り場出入口近傍の建屋壁に予め開口を形成すると共に、この開口に乗り場釦を収納した箱体を埋設するようにしている。
【先行技術文献】
【特許文献】
【０００３】
【特許文献１】実開平６−６３５９号公報
【発明の概要】
【発明が解決しようとする課題】
【０００４】
しかしながら、特許文献１に記載されたエレベータの乗り場釦装置は、箱体内に乗り場釦を収納したものであるため、比較的大きな箱体を収納する建屋壁の開口も比較的大きな外寸法を有するものとなってしまう。このため、建屋壁建設時に、箱体を開口に埋設しておき、次いで、仕上げ壁施工時に、箱体に乗り場釦を装着する必要があり、二度手間となるという課題があった。また、エレベータの乗り場が設けられる建屋壁は防火区画を構築するものであることが多く、前述したものでは、比較的大きな外寸法を有する箱体の設置のため、建屋壁に比較的大きな開口を設ける必要があり、防火性能の向上と言う面で問題があった。
【０００５】
そこで本発明の目的は、建屋壁に形成する開口施工寸法を低減すると共に、設置作業の簡易化を図ることのできる乗り場釦装置を有したエレベータ装置を提供することにある。
【課題を解決するための手段】
【０００６】
上記課題を解決するために、本発明は、建屋壁に形成されたケーブル孔と、前記ケーブル孔から乗り場側に導出され、かつ導出側の端部に信号ケーブル側コネクタが接続された通信ケーブルと、前記信号ケーブル側コネクタに接続可能な釦側コネクタに接続した乗り場釦を備えた乗り場釦カバーとを有する乗り場釦装置を備えたエレベータ装置において、前記建屋壁に形成された前記ケーブル孔と対向する位置に開口部を有して前記建屋壁の乗り場側面に取り付けられる乗り場釦固定金具と、前記開口部を通して前記ケーブル孔にその挿入深さを規制して挿入配置されると共にその内部に前記信号ケーブル側コネクタを配置したケーブル接続箱とを設け、前記乗り場釦カバーは、前記乗り場釦固定金具の前記乗り場側に配置されて前記乗り場釦固定金具に取り付けたことを特徴とする。
【発明の効果】
【０００７】
本発明のエレベータ装置によれば、建屋壁に形成するケープル孔は、比較的径を小さくできるケーブル接続箱を挿入し、信号ケープルを引き込むために比較的小さな径寸法とすることができ、その施工作業が簡単で、ケープル孔の形成と乗り場釦装置の組み立て作業を同日でも行うことができるようになる。しかも、ケープル孔は、乗り場側に配置される乗り場釦固定金具や乗り場釦カバーによって確実に覆われることになるため美観が損なわれることがない。また、乗り場側から全ての取付け作業を行うことができ、設置作業の簡易化を図ることができる。
【図面の簡単な説明】
【０００８】
【図１】本発明の一実施例によるエレベータ装置の乗り場を示す正面図である。
【図２】図１に示したエレベータ装置における乗り場釦装置の拡大正面図である。
【図３】図２のＡ−Ａ線に沿った断面図である。
【図４】図３に示した乗り場釦固定金具の正面図である。
【図５】図３に示した乗り場釦固定金具の異なる状態を示す正面図である。
【図６】図３に示した端部封止体を示す正面図である。
【図７】図３に示した乗り場釦装置の組み立て手順を示す展開図である。
【図８】図４のＢ−Ｂ線に沿った断面図である。
【発明を実施するための形態】
【０００９】
以下、本発明の実施例を図面に基づいて説明する。
【実施例１】
【００１０】
図１は、本発明の一実施の形態によるエレベータの乗り場釦装置を採用したエレベータの乗り場を示す正面図である。
【００１１】
エレベータの乗り場には、出入口に開閉可能に設置された乗り場ドア１と、乗り場ドア１の近傍に位置する建屋壁に設置された乗り場釦装置２と、乗り場釦装置２よりも少し高い位置の建屋壁に設置されてかごの運転状態を報知する表示灯３とが備えられている。
【００１２】
図２は、上述した乗り場釦装置２を拡大した正面図、図３は、図２のＡ−Ａ線に沿った断面図である。
【００１３】
乗り場釦装置３は、上昇呼びを登録する上昇乗り場釦４および下降呼びを登録する下降乗り場釦５を備えた乗り場釦カバー６と、上昇乗り場釦４および下降乗り場釦５に接続ケーブル７を介して接続された釦側コネクタ８と、この釦側コネクタ８と分離可能に接続した信号ケーブル側コネクタ９と、この信号ケーブル側コネクタ９を端部に接続されると共に、昇降路を通して他端を図示しない制御盤へ接続された信号ケーブル１０と、建屋壁１１に形成されたケーブル孔１２と対向する中央部に開口部１３を有した乗り場釦固定金具１４と、ケープル孔１２内に嵌め込まれると共に、乗り場釦固定金具１４側の端部を開口部１３に合わせて開放し、かつ内部に釦側コネクタ８および信号ケーブル側コネクタ９を収納したケーブル接続箱１５と、このケーブル接続箱１５の反対側端部に取り付けられて信号ケーブル１０のみの導出を許して塞ぐ端部封止体１６とを備えている。
【００１４】
次に、乗り場釦装置２を構成する各部を組み立て時の取り扱い単位毎に説明する。
【００１５】
図４および図５は、乗り場釦固定金具１４の異なる状態を示す正面図である。
【００１６】
ほぼ四角形状の乗り場釦固定金具１４には、その四隅に形成されて建屋壁１１へ固定するために使用するビスの取り付け孔１７と、その中央部に形成された開口部１３と、開口部１３の縁部に一対形成された嵌め合い部１９とが設けられている。
【００１７】
ケーブル接続箱１５は、乗り場側から開口部１３を通して建屋壁１１のケーブル孔１２内に挿入されることになるが、その挿入深さを規制する挿入方向規制機能と、乗り場側への飛び出しを規制する飛び出し規制機能とを有している。これらの機能のために、乗り場釦固定金具１４には上述した嵌め合い部１９が形成され、またケーブル接続箱１５には、主体部として形成された円筒状主体部の乗り場側端に円筒状主体部よりも径が大きいレモン型の鍔部１８が形成されている。
【００１８】
開口部１３は、ケーブル接続箱１５の鍔部１８を図４の状態よりも少し反時計方向に回転して図５の状態にしたとき、ケーブル接続箱１５を乗り場側に引き出すことができる大きさである。しかし、組み立て状態でケーブル接続箱１５は、図２に示したように建屋壁１１のケーブル孔１２内に納められた位置が保持されている。この保持のために、鍔部１８はケーブル孔１２の径よりも大きくされており、鍔部１８を図５の状態から図４の状態に回転すると、鍔部１８の最も径の大きな部分は一対の嵌め合い部１９と嵌め合い、更なる回転が阻止されると共に、ケーブル孔１２内また乗り場側への移動が規制されることになる。
【００１９】
また乗り場釦固定金具１４の上部二箇所には、水平方向に延びた後に上方へ折り返されたフック２０が形成され、下部には、ねじ孔を有して水平方向に延びた挿入部２１が形成されている。このフック２０および挿入部２１は、後述するように乗り場釦カバー６を固定するために使用されるものである。
【００２０】
乗り場釦カバー６を中心とする構成は、図７を兼用して説明する。同図に示すように乗り場釦カバー６を中心とする構成は予め一体的に組み立てられている。上昇呼びを登録する上昇乗り場釦４および下降呼びを登録する下降乗り場釦５には、接続ケーブル７を介して釦側コネクタ８が接続されている。乗り場釦カバー６の建屋壁側の面の中央部には、ケーブル接続箱１５の鍔部１８や嵌め合い部１９を収納できるような形状の凹部２４が形成されている。
【００２１】
また、乗り場釦カバー６の上部には係止部２２が形成されている。乗り場釦固定金具１４と向き合った状態で乗り場釦カバー６を少し上方へ移動させた後、両者を近接させ、今度は乗り場釦カバー６を少し下方へ降ろすと、乗り場釦固定金具１４のフック２０がフック受け部２２内に挿入されて連結状態となる。さらに、乗り場釦カバー６の下部にはビス２４を可回転的に支持したビス受け部２３が形成されており、乗り場釦カバー６を乗り場釦固定金具１４側に押し込むと、乗り場釦固定金具１４の挿入部２１に形成したねじ部がビス２５と対応する。この挿入状態で、乗り場釦カバー６の下部に配置されているビス２５をねじ込むと、挿入部２１に形成したねじ部に挿入されて、乗り場釦カバー６を乗り場釦固定金具１４へしっかりと固定することができる。
【００２２】
図６は、図３に示したケーブル接続箱１５の端部封止体１６を拡大して示す正面図である。
【００２３】
ケーブル接続箱１５の円筒状主体部２６の昇降路側端部を塞いだ端部封止体１６は、ビス２７によって取り付けたシール部材２８を有しており、このシール部材２８には信号ケーブル１０を挟み込む程度の径を持つ導出孔２９が形成されている。詳細な図示は省略しているが、端部封止体１６には信号ケーブル１０よりも径の大きな信号ケーブル側コネクタ９を挿入することができる程度の大きな開口が形成されている。ケーブル接続箱１５の円筒状主体部２６内に信号ケーブル側コネクタ９を配置し、この大きな開口に信号ケーブル１０を通した後、シール部材２８をビス２７によって固定すると、ケーブル接続箱１５の昇降路側は端部封止体１６によって封止状体となる。
【００２４】
この端部封止体１６もしくはシール部材２８は、耐火性および耐水性の材質で製作し適度の封止機能を付加すると、乗り場側と昇降路側とを遮断することができ、防火性能、防水性能及び防湿性能を向上させることができる。また、ケーブル接続箱１５の円筒状主体部２６は基本的には円筒状であるが、円筒状主体部２６の反乗り場側に端部封止体１６を取り付けると、円筒状主体部２６の内部に信号ケーブル側コネクタ９を保持しながら信号ケーブル１０のみを導出することができる。
【００２５】
次に、分解図である図７を用いて乗り場釦装置２の据え付け作業について説明する。
【００２６】
エレベータの据え付け作業時、作業員は、まず、穴開け工具を用いて建屋壁１１にケーブル孔１２を形成する。ケーブル孔１２はケーブル接続箱１５だけを挿入するものであるから、従来に比べて十分小さな径で良い。
【００２７】
次いで作業員は、乗り場釦固定金具１４を乗り場側から建屋壁１１に配置し、その中央部に形成された開口部１３と建屋壁１１に形成されたケープル孔１０とを合わせて対向配置する。この状態で、信号ケープル側コネクタ９および信号ケーブル１０を建屋壁１１の昇降路側から引き出し、さらに信号ケープル側コネクタ９を開口部１３よりも乗り場側に位置させる。信号ケープル側コネクタ９の乗り場側への引き込み長さは、その後の作業のための余裕を持った長さとなるようにする。その後、作業者は、ビス３０を用いて乗り場釦固定金具１４を建屋壁１１の乗り場側面に固定する。
【００２８】
次に、作業者は、端部封止体１６の導出孔２８内に信号ケープル１０を位置させ、ケーブル接続箱１５内に信号ケープル側コネクタ９を収納した状態とする。この状態で作業者は、図６に示したようにビス２７を使用してシール部材２８を円筒状主体部２６の端部に固定して端部封止体１６を完成させ、昇降路側と乗り場側とを区分する。この端部封止体１６によって、信号ケープル１０を導出するものの信号ケープル側コネクタ９はケーブル接続箱１５内に保持させることができるので、その後、これら各部を一体的な構成物として取り扱うことができる。
【００２９】
その後、作業者は、図５に示すようにケープル接続箱１５の鍔部１８が、乗り場釦固定金具１４の嵌め合い部１９と干渉しない位置となるように多少回転させる。作業者は、ケープル接続箱１５における鍔部１８の回転後の位置を保持しながら、ケープル接続箱１５を乗り場側から乗り場釦固定金具１４の開口部１３を通して建屋壁１１側に移動し、図８に示すようにケープル接続箱１５の円筒状主体部２６を建屋壁１１のケーブル孔１２に嵌め込む。
【００３０】
建屋壁１１のケーブル孔１２内へケープル接続箱１５を嵌め込む作業の後半で、作業者は、ケーブル接続箱１５を図５に示した矢印の向きに回動し、図４に示すように嵌め合い部１９に鍔部１８が嵌め合った状態にする。すると、図８に示すようにケープル接続箱１５の鍔部１８は嵌め合い部１９によって周方向の回転を阻止され、鍔部１８または乗り場釦固定金具１４によってケープル接続箱１５が昇降路側に移動するのを阻止される。
【００３１】
この作業の前後に、作業者は、釦側コネクタ８と信号ケープル側コネクタ９とを差し込んで接続状態とする。さらに作業者は、乗り場釦固定金具１４と向き合った状態で乗り場釦カバー６を少し上方へ移動させた後、両者を近接させて、今度は乗り場釦カバー６を少し下方へ降ろすと、乗り場釦固定金具１４のフック２０が乗り場釦カバー６のフック受け部２２に挿入されて連結状態となる。その後に作業者は、乗り場釦カバー６の下部を乗り場釦固定金具１４側に押し込むと、乗り場釦固定金具１４側の挿入部２１が乗り場釦カバー６内に挿入される。
【００３２】
このとき、乗り場釦カバー６の建屋壁側の面の中央部に形成されている凹部２４内に、ケーブル接続箱１５の鍔部１８が収納される。この状態で、挿入部２１に形成したねじ部にビス２５が対応するので、作業者がビス２５を締め付けると、乗り場釦カバー６を乗り場釦固定金具１４へ密着させながら確実に固定される。
【００３３】
こうして、作業者は、乗り場側から乗り場釦装置の組み立て作業を行うことができる。
【００３４】
以上説明したように本発明は、建屋壁１１に形成されたケーブル孔１２と、前記ケーブル孔１２から乗り場側に導出され、かつ導出側の端部に信号ケーブル側コネクタ９が接続された通信ケーブル１０と、前記信号ケーブル側コネクタ９に接続可能な釦側コネクタ８に接続した乗り場釦４，５を備えた乗り場釦カバー６とを有する乗り場釦装置を備えたエレベータ装置において、前記建屋壁１１に形成された前記ケーブル孔１２と対向する位置に開口部１３を有して前記建屋壁１１の乗り場側面に取り付けられる乗り場釦固定金具１４と、前記開口部１３を通して前記ケーブル孔１２にその挿入深さを規制して挿入配置されると共にその内部に前記信号ケーブル側コネクタを配置したケーブル接続箱とを設け、前記乗り場釦カバー６は、前記乗り場釦固定金具１４の前記乗り場側に配置されて前記乗り場釦固定金具１４に取り付けたことを特徴とする。
【００３５】
このような構成のエレベータ装置によれば、建屋壁１１に形成するケープル孔１２は、比較的径の小さなケーブル接続箱１５を挿入し、かつ信号ケープル１０を引き込むために比較的小さな径とすることができ、その施工作業が簡単であり、ケープル孔１２の形成と乗り場釦装置の組み立て作業を同日に行うことも可能となる。しかも、ケープル孔１２は、乗り場側に配置される乗り場釦固定金具１４や乗り場釦カバー６によって確実に覆われることになるため美観が損なわれることがない。また、乗り場側から全ての取付け作業を行うことができ、設置作業の簡易化を図ることができる。
【００３６】
また本発明は、上記の構成に加えて、前記ケーブル接続箱１５は前記乗り場側に形成された鍔部１８を備え、前記乗り場釦固定金具１４は前記ケーブル接続箱１５を周方向に回転することによって前記鍔部１８と嵌め合うように形成された嵌め合い部１９を備えたことを特徴とする。
【００３７】
このような構成のエレベータ装置によれば、比較的小さな径のケーブル接続箱１５を乗り場側からケープル孔１２へ挿入する構成であるものの、ケーブル接続箱１５を周方向に回転することによって鍔部１８と嵌め合い部１９とを嵌め合っているため、簡単な構成と作業でケーブル接続箱１５を所定の位置に保持することができる。
【００３８】
また本発明は、上記の構成に加えて、前記ケーブル孔への前記ケーブル接続箱の挿入側端部に、前記ケーブル接続箱から前記通信ケーブルの導出を許しながら端部を覆う端部封止体１６を設けたことを特徴とする。
【００３９】
このような構成のエレベータ装置によれば、エレベータ乗り場装置が設けられる建築壁１１が防火区画を構築するものである場合、建屋壁１１への開口施工寸法は小さなものでよいので、小型で簡単な構成の端部封止体１６で防火性能の向上を図ることができる。また端部封止体１６により、乗り場側と昇降路側とを遮断し、これによって、防火性能、防水性能及び防湿性能を向上させることができる。
【００４０】
尚、本発明は、上述した実施例に限定するものではなく、様々な変形例が含まれる。例えば、ケーブル接続箱１５の昇降路側を封止した端部封止体１６の構成、ケーブル接続箱１５の位置保持を行う鍔部１８と嵌め合い部１９と嵌め合い構造、乗り場釦固定金具１４へ乗り場釦カバー６を固定する構造などは、図示のものに限定するものではない。また、乗り場釦カバー６に構成される乗り場釦４，５はいずれ一方だけを有する構成であっても良い。
【符号の説明】
【００４１】
２    乗り場釦装置
４    上昇乗り場釦
５    下降乗り場釦
６    乗り場釦カバー
８    釦側コネクタ
９    信号ケーブル側コネクタ
１０  信号ケープル
１１  建屋壁
１２  ケーブル孔
１３  開口部
１４  乗り場釦固定金具
１５  ケーブル接続箱
１６  端部封止体
１８  鍔部
１９  嵌め合い部
【図１】
2015151212.tif 000003
【図２】
2015151212.tif 000004
【図３】
2015151212.tif 000005
【図４】
2015151212.tif 000006
【図５】
2015151212.tif 000007
【図６】
2015151212.tif 000008
【図７】
2015151212.tif 000009
【図８】
2015151212.tif 000010